(57)【要約】【課題】トッププレートの不意の脱却を効果的に防止する。【解決手段】正面パネル３の左右に当たる器体のコーナー部には、サイドモール１５，１５が設けられている。このサイドモール１５の上端は、前端がトッププレート５の周縁部６の裏面に当接する前方への突出部１６となって、トッププレート５の前後方向のズレを防止すると共に、突出部１６の上面は、トッププレート５の庇部１４の裏面に当接して、トッププレート５のコーナー部を支持している。【選択図】  図２
2004169958.tif 000002
【特許請求の範囲】
【請求項１】
正面パネルを前面に備えた箱状の器体の上面に、前端が前記正面パネルの上端部から張り出すようにトッププレートを嵌着させる一方、前記正面パネルの左右に当たる前記器体のコーナー部にサイドモールを設けたテーブルこんろであって、
前記サイドモールの上端を前記トッププレートの裏面に当接または近接させて、前記サイドモールで前記トッププレートのコーナー部を支持可能としたことを特徴とするテーブルこんろ。
【発明の詳細な説明】
【０００１】
【発明の属する技術分野】
本発明は、器体前方側で左右のコーナー部にサイドモールを設けたテーブルこんろに関する。
【０００２】
【従来の技術】
テーブルこんろは、操作ボタン等を有する正面パネルを前面に備えた箱状の器体の上面に、天板となるトッププレートを被着させて、そのトッププレートの上面にこんろバーナを配置してなる。トッププレートは一枚の板体で形成され、下方へ折り返した左右の周縁部と、器体側方のベースの上端部との間に形成された凹凸同士の嵌合によって、着脱可能に被着されている。
【０００３】
そして、正面パネルの左右に当たる器体のコーナー部には、サイドモールが設けられている（例えば特許文献１）。図３に示すように、このサイドモール２０は、正面パネル２１と左右のベース２２との連結部の見栄えを良くする化粧材で、前方部分は正面パネル２１の形状に合わせて上方へ行くに従って徐々に後退する傾斜形状となって、器体に被着されるトッププレート２３の前端を庇状に張り出させている。なお、このようにトッププレート２３を前方へ張り出させるのは、トッププレート２３上に噴きこぼれた鍋汁等が正面パネル２１の操作部になるべく掛からないようにするためである。よって、サイドモール２０の上端には、トッププレート２３の前端で折り返した周縁部２４の裏面に当接してトッププレート２３の前後へのズレを防止する突出部２５が形成されている。
【０００４】
【特許文献１】
特開２００１−３２４１５３号（図４）
【０００５】
【発明が解決しようとする課題】
このように、サイドモール２０には主に化粧材としての機能しか付与されていないため、上端の突出部２５とトッププレート２３との間には隙間Ｓ（通常４ｍｍ程度）が生じるように正面パネル２１やベース２２よりも低く形成されて、トッププレート２３の前方部分の支持は専ら正面パネル２１の上端部によって行われていた。このため、トッププレート２３の前方でコーナー部付近に上から大きな力が加わると、正面パネル２１で受けきれず、トッププレート２３の後方側が器体から外れて跳ね上がってしまうおそれがあった。
【０００６】
そこで、請求項１に記載の発明は、このようなトッププレートの不意の脱却を効果的に防止でき、安心して使用できるテーブルこんろを提供することを目的としたものである。
【０００７】
【課題を解決するための手段】
上記目的を達成するために、請求項１に記載の発明は、サイドモールの上端をトッププレートの裏面に当接または近接させて、サイドモールでトッププレートのコーナー部を支持可能としたことを特徴とするものである。
【０００８】
【発明の実施の形態】
以下、本発明の実施の形態を図面に基づいて説明する。
図１は、グリル付のテーブルこんろの斜視図で、テーブルこんろ１は、正面パネル３を前面に有する箱状の器体２の上面開口に、天板となるトッププレート５を被着させてなる。このトッププレート５は一枚の板体で形成され、下方へ折り返した左右の周縁部６と、器体２の側板となるベース４の上端部との間に形成された凹凸部７，８同士の嵌合によって、着脱可能に被着されている。
【０００９】
一方、トッププレート５の上面には一対のこんろバーナ９，９が配置される。このこんろバーナ９は、周囲に設けられた五徳１０上に図示しない調理鍋を載せ、正面パネル３に設けられた操作ボタン１１を押すことで点火され、調理鍋の加熱が可能となっている。また、器体２の中央部にはグリル１２が設けられ、正面パネル３に設けられた操作ボタン１３を押すことで、グリル１２内の図示しないグリルバーナが点火して、魚等の被調理物を加熱調理可能となっている。なお、正面パネル３は、上部が手前側に下り傾斜し、下部が手前側に上り傾斜する断面くの字状に形成されて、上端部が全長に亘ってトッププレート５の裏面に当接する一方、トッププレート５の前方部分は、正面パネル３の上端部より前方に張り出す庇部１４となって、トッププレート５上に噴きこぼれた鍋汁等が正面パネル３の操作ボタン１３等にかからないようにしている。
【００１０】
そして、正面パネル３の左右に当たる器体２のコーナー部には、サイドモール１５，１５が設けられている。このサイドモール１５は、図２にも示すように、前端を正面パネル３の形状に合わせてくの字状に膨出形成させた合成樹脂の板体で、側方で正面パネル３と、後方で器体２のベース４と夫々図示しない結合具を介して連結されている。また、サイドモール１５の上端は、前端がトッププレート５の周縁部６の裏面に当接する前方への突出部１６となって、トッププレート５の前後方向のズレを防止すると共に、突出部１６の上面は、トッププレート５の庇部１４の裏面に当接する形状となって、トッププレート５のコーナー部を支持している。
【００１１】
以上の如く構成されたテーブルこんろ１は、サイドモール１５，１５の上端をトッププレート５の庇部１４の裏面に当接させて、サイドモール１５，１５でトッププレート５のコーナー部を支持可能としたことで、トッププレート５のコーナー部に上から大きな力が加えられても、トッププレート５の後端が器体２から不意に脱却して跳ね上がるようなことがなくなり、安心して使用できる。
特に、金属製のトッププレート５を合成樹脂のサイドモール１５で受ける構造であるから、コーナー部にサイドモール１５の打痕がつきにくく、たとえ打痕がついてもコーナー部であるため目立たない。
【００１２】
なお、上記形態では、サイドモールの上端をトッププレートの裏面に当接させているが、必ずしも当接させるのに限らず、コーナー部に力が加わった際にコーナー部を支持してトッププレートの脱却を防止できれば、微小な隙間を残して近接させても差し支えない。また、サイドモールの上端部の形状も、突出部の上面全体を当接等させる構造に限らず、部分的な凸部を形成してトッププレートに当接等させることもできる。
【００１３】
さらに、上記形態では一体成形のサイドモールをトッププレートの庇部裏面に当接させる構造としているが、サイドモールと別体のスペーサを用意して、両面テープ等を用いた貼着やネジ止め等の固定手段によってサイドモールの上端へ一体に取り付ける構造も採用できる。この場合、トッププレートとサイドモールとの間に大きな隙間がある既存のテーブルこんろにも本発明が簡単に適用可能となる。
【００１４】
【発明の効果】
請求項１に記載の発明によれば、サイドモールの上端をトッププレートの裏面に当接または近接させて、サイドモールでトッププレートのコーナー部を支持可能としたことで、トッププレートの後端が器体から不意に脱却して跳ね上がるようなことがなくなり、安心して使用できる。
【図面の簡単な説明】
【図１】テーブルこんろの斜視図である。
【図２】サイドモール部分の断面説明図である。
【図３】従来のテーブルこんろにおけるサイドモール部分の断面説明図である。
【符号の説明】
１・・テーブルこんろ、２・・器体、３・・正面パネル、４・・ベース、５・・トッププレート、６・・周縁部、１４・・庇部、１５・・サイドモール、１６・・突出部。
【図１】
2004169958.tif 000003
【図２】
2004169958.tif 000004
【図３】
2004169958.tif 000005